(57)【要約】【課題】作業用安全柵において、作業場に応じて、安全柵の囲み長を自在に調整することである。【解決手段】作業用安全柵において、一側面に開口部４４，５４とガイドピン６８，７８の案内溝４２，５２とを有する外部フェンス４０，５０と、外部フェンス４０と外部フェンス５０とをそれぞれを相互に連結する連結具３８と、外部フェンス４０，５０の開口部から収納され、一側面に開口部６４，７４とガイドピン６８，７８と案内溝６２，７２とを有する内部フェンス６０，７０と、内部フェンス６０，７０の開口部６４，７４から収納され、上面にガイドピン８４，９４とを有する拡張フェンス８０，９０とを含んで構成される。【選択図】図２
2009023826.tif 000002
【特許請求の範囲】
【請求項１】
作業場の一部または全部を囲み、一側面に開口部を有する外部フェンスと、
外部フェンスの開口部からその内部空間に収納され、作業場の囲み長に応じて引き出し自在な内部フェンスと、を備えることを特徴とする作業場用安全柵。
【請求項２】
請求項１に記載の作業用安全柵において、
内部フェンスは、上面の長手方向の両端のいずれか一端にガイドピンを有し、
外部フェンスは、上面の長手方向に沿って内部フェンスのガイドピンを案内する案内溝を有することを特徴とする作業場用安全柵。
【請求項３】
請求項１または請求項２に記載の作業用安全柵において、
外部フェンスは、底面の長手方向の両端にそれぞれに移動用車輪を有し、
内部フェンスは、外部フェンスから引き出される方向の底面に移動用車輪を有することを特徴とする作業場用安全柵。
【請求項４】
請求項３に記載の作業用安全柵において、
外部フェンスは、内部フェンスを収納する場合に、内部フェンスの移動用車輪を引き込む案内部を有していることを特徴とする作業場用安全柵。
【請求項５】
請求項３または請求項４に記載の作業用安全柵において、
内部フェンスは、内部フェンスの移動用車輪を床面に押し付ける付勢手段を有し、付勢力に抗する力が内部フェンスの移動用車輪に加えられるときに、内部フェンスの移動用車輪が外部フェンスの内部空間に収納されることを特徴とする作業場用安全柵。
【請求項６】
請求項１から請求項５のいずれか１に記載の作業用安全柵において、
外部フェンスが複数の場合に、各外部フェンスは、相互に連結具で連結されることを特徴とする作業場用安全柵。
【請求項７】
請求項１から請求項６のいずれか１に記載の作業用安全柵において、
内部フェンスは、一側面に開口部を有し、
さらに、
内部フェンスの開口部からその内部に収納され、作業場の囲み長に応じて引き出し自在な拡張フェンスを備えることを特徴とする作業場用安全柵。
【請求項８】
請求項１から請求項７のいずれか１に記載の作業用安全柵において、
外部フェンス及び内部フェンス及び拡張フェンスの少なくとも１つの側面は、作業に関連する内容を表示する表示板であることを特徴とする作業場用安全柵。
【発明の詳細な説明】
【技術分野】
【０００１】
本発明は、作業場用安全柵に係り、特に、作業場を囲む安全柵に関する。
【背景技術】
【０００２】
従来、エスカレータの機器の点検を行う際に、例えば、乗降口付近の踏板を外して、内部の機械室等の点検作業がなされる。そのような点検作業中に、第三者がエスカレータの乗降口付近に近づいて作業場に進入することを防止するために、作業場用安全柵を設ける必要がある。そこで、例えば、特許文献１には、エスカレータの作業場用安全柵として、立接面を形成する複数枚のフェンスが、台車の少なくとも一辺に立設され、複数枚のフェンスのそれぞれに設けられる軸を挿入自在とした連結具と、この連結具に、それぞれのフェンスの開き角度を予め定めた複数の角度を選択固定し、また、折りたたむことができる開き角度固定手段とを備えたものが開示されている。
【０００３】
【特許文献１】特開平８−１２７４８６号公報
【発明の開示】
【発明が解決しようとする課題】
【０００４】
上記のように、特許文献１の構成を用いることで、エスカレータの機器の点検を行う際に、第三者がエスカレータの乗降口に進入することを防止することができる。しかし、この作業場用安全柵を踏板サイズの異なるエスカレータやエレベータの機器の点検を行う場合にも共用するとなると、作業場のスペースが異なるため、作業場用安全柵の囲み長を調整する必要が生じる。このような場合に、特許文献１の構成によれば、作業場用安全柵を構成するフェンスを折りたたんで囲み長を調整する必要があり、微調整が困難な場合がある。
【０００５】
本発明の目的は、作業場に応じて、囲み長を自在に調整できる作業場用安全柵を提供することである。
【課題を解決するための手段】
【０００６】
本発明に係る作業場用安全柵において、作業場の一部または全部を囲み、一側面に開口部を有する外部フェンスと、外部フェンスの開口部からその内部空間に収納され、作業場の囲み長に応じて引き出し自在な内部フェンスと、を備えることを特徴とする。
【０００７】
また、内部フェンスは、上面の長手方向の両端のいずれか一端にガイドピンを有し、
外部フェンスは、上面の長手方向に沿って内部フェンスのガイドピンを案内する案内溝を有することが好ましい。
【０００８】
また、外部フェンスは、底面の長手方向の両端にそれぞれに移動用車輪を有し、内部フェンスは、外部フェンスから引き出される方向の底面に移動用車輪を有することが好ましい。
【０００９】
また、外部フェンスは、内部フェンスを収納する場合に、内部フェンスの移動用車輪を引き込む案内部を有していることが好ましい。
【００１０】
また、内部フェンスは、内部フェンスの移動用車輪を床面に押し付ける付勢手段を有し、付勢力に抗する力が内部フェンスの移動用車輪に加えられるときに、内部フェンスの移動用車輪が外部フェンスの内部空間に収納されることが好ましい。
【００１１】
また、外部フェンスが複数の場合に、各外部フェンスは、相互に連結具で連結されることが好ましい。
【００１２】
また、内部フェンスは、一側面に開口部を有し、さらに、内部フェンスの開口部からその内部に収納され、作業場の囲み長に応じて引き出し自在な拡張フェンスを備えることが好ましい。
【００１３】
また、本発明に係る作業場用安全柵において、外部フェンス及び内部フェンス及び拡張フェンスの少なくとも１つの側面は、作業に関連する内容を表示する表示板であることが好ましい。
【発明の効果】
【００１４】
上記構成の少なくとも１つにより、作業用安全柵は、外部フェンスの内部空間に収納される内部フェンスは作業場の囲み長に応じて、自在に引き出し可能である。したがって、作業場用安全柵の囲み長を自在に調整できる。
【００１５】
また、上記構成の少なくとも１つにより、作業用安全柵における各フェンスは移動用車輪を有する。したがって、容易に作業場用安全柵を持ち運ぶことができる。
【００１６】
また、上記構成の少なくとも１つにより、作業用安全柵は、各フェンスの少なくとも１つの側面は作業に関連する内容を表示する表示板を有する。したがって、第三者に乗客コンベヤの機器の点検中等であることの注意喚起を行うことができる。
【発明を実施するための最良の形態】
【００１７】
以下に図面を用いて本発明に係る実施の形態につき、詳細に説明する。なお、以下ではエスカレータの機器の点検を行うときの作業場用安全柵について説明するが、エレベータ、空調機、照明器具等のビル設備のメンテナンスを行う際の作業場用安全柵であってもよい。また、以下では、外部フェンスと内部フェンスと拡張フェンスとがそれぞれ１組ずつ用いられて構成される安全柵について説明するが、各フェンスの枚数に制限はない。また、以下では、内部フェンスは外部フェンスの内部空間に収納され、拡張フェンスは内部フェンスの収納空間に収納されることを前提として説明するが、それぞれ内部空間にフェンスを収納しない、例えば開口部の無いフェンスであってもよい。また、以下では、ガイドピンと案内溝は各フェンスの上面に配置されるものとして説明するが、他の側面、例えば、外部フェンス等の側面に案内溝を設け、それに対応した内部フェンス等の側面にガイドピンを設けるものとしてもよい。
【００１８】
図１は、エスカレータ１０の点検作業を行う場合において、作業用安全柵３０を乗降口付近に配置した図を示している。図１において、エスカレータ１０は、移動手摺４と、欄干部８と、移動手摺４とほぼ同期して移動する踏板６とを含んで構成される。エスカレータ１０の点検を行う際には、乗降口付近の踏板６を外し、その開口部から保守作業員が機械室等の点検を行う。このようなエスカレータ１０の点検中に、第三者がエスカレータ１０の乗降口付近の作業場２０に近づくことを防止するために、作業用安全柵３０を配置し作業場２０を囲んでいる。また、外部フェンスの側面には点検中等であることの表示がなされているため、第三者がエスカレータ１０の乗降口付近の作業場２０に近づくことを抑制することができる。
【００１９】
図２は、作業用安全柵３０の詳細図で、作業用安全柵３０が作業場２０周辺に設置された場合に、ここでは乗降口側から見た斜視図として示されている。作業用安全柵３０は、外部フェンス４０，５０と、外部フェンス４０と外部フェンス５０とをそれぞれを相互に連結する連結具３８と、外部フェンス４０，５０に収納される内部フェンス６０，７０と、内部フェンス６０，７０に収納される拡張フェンス８０，９０とを含んで構成される。
【００２０】
外部フェンス４０，５０は、作業場２０の一部あるいは全部を囲む機能と、その内部空間に内部フェンス６０，７０をそれぞれ収納する機能とを有する。外部フェンス４０，５０は、アルミや鉄等の素材で構成される筐体であって、内部フェンス６０，７０に比べてひとまわり大きい形状を有する。外部フェンス４０，５０は、内部フェンス６０，７０に配置されたガイドピン６８，７８を案内する案内溝４２，５２と、内部フェンス６０，７０を収納するために一側面に設けられた開口部４４，５４と、外部フェンス４０，５０の移動用の車輪４６，４８，５６，５８とを含んで構成される。
【００２１】
開口部４４，５４は、内部フェンス６０，７０を、外部フェンス４０，５０の内部空間に出し入れするための開口である。開口部４４，５４は、内部フェンス６０，７０を滑らかに引き出すために、内部フェンス６０，７０の大きさに比べひとまわり大きい形状を有する。
【００２２】
案内溝４２，５２は、内部フェンス６０，７０に配置されたガイドピン６８，７８を案内する機能を有する。案内溝４２，５２は、外部フェンス４０，５０の上面において、長手方向に沿った溝であって、ガイドピン６８，７８に比べひとまわり大きい溝幅を有している。
【００２３】
車輪４６，４８，５６，５８は、外部フェンス４０，５０を移動させる機能を有している。車輪４６，４８，５６，５８は、外部フェンス４０，５０の底面において長手方向の両端部に配置される。
【００２４】
連結具３８は、外部フェンス４０と外部フェンス５０のそれぞれ相互に連結し、それぞれのフェンスの開き角度を予め定めた複数の角度を選択固定できる機能を有する。連結具３８は、例えば蝶番を用いて、外部フェンス４０と外部フェンス５０とが連結される。
【００２５】
内部フェンス６０，７０は、外部フェンス４０，５０のみで構成される囲み長で不十分な場合に、外部フェンス４０，５０と協働して作業場２０の全部または一部を囲む機能と、その内部に拡張フェンス８０，９０をそれぞれ収納する機能とを有する。内部フェンス６０，７０は、外部フェンス４０，５０と同様にアルミや鉄等の素材で構成される筐体であって、外部フェンス４０，５０の内部空間に比べてひとまわり小さい形状であって、拡張フェンス８０，９０に比べてひとまわり大きい形状を有する。また、内部フェンス６０，７０は、開口部４４，５４から外部フェンス４０，５０の内部空間に出入りする。内部フェンス６０，７０は、拡張フェンス８０，９０に配置されたガイドピン８４，９４を案内する案内溝６２，７２と、拡張フェンス８０，９０を収納するために一側面に設けられた開口部６４，７４と、内部フェンス６０，７０の引き出しに用いるガイドピン６８，７８と、内部フェンス６０，７０の移動用の車輪６６，７６とを含んで構成される。
【００２６】
開口部６４，７４は、拡張フェンス８０，９０を、内部フェンス６０，７０の内部空間に出し入れするための開口である。開口部６４，７４は、上記の開口部４４，５４と同様に、拡張フェンス８０，９０を滑らかに引き出すために、拡張フェンス８０，９０の大きさに比べひとまわり大きな形状を有する。案内溝６２，７２は、案内溝４２，５２と同様の案内機能と、同じ溝幅とを有する。
【００２７】
ガイドピン６８，７８は、外部フェンス４０，５０の上面の長手方向に沿って案内溝４２，５２を移動すると、それに従って内部フェンス６０，７０が外部フェンス４０，５０の内部空間から引き出される。また、ガイドピン６８，７８は、内部フェンス６０，７０の上面のうち引き出し方向とは反対の端部に設置され、その先端が外部フェンス４０，５０の案内溝４２，５２から突出している。かかるガイドピン６８，７８は、適当な強度の部材であって、上部は掴みやすい形状で、下部はネジ部を有している。その場合には、内部フェンス６０，７０の上面には対応するネジ部が設けられる。また、ガイドピン６８，７８は、外部フェンス４０，５０の上面から、案内溝４２，５２を通過して、内部フェンス６０，７０の上面に配置される。なお、ガイドピン６８，７８は、床面の垂直方向に伸縮できる付勢手段を有している場合であってもよい。
【００２８】
車輪６６，７６は、車輪４６，４８，５６，５８と同様の機能を有する。車輪６６，７６は、内部フェンス６０，７０の底面において、引き出し方向の端部に配置される。なお、内部フェンス６０，７０を引き出した場合に、車輪６６，７６と外部フェンス４０，５０に配置された車輪４６，５６とそれぞれ２点で内部フェンス６０，７０を支えている。そのため、内部フェンス６０，７０は、その底面の１つ端部に、車輪６６，７６を配置すれば安定した作業用安全柵を構成することができる。
【００２９】
拡張フェンス８０，９０は、外部フェンス４０，５０と内部フェンス６０，７０とを用いて構成される囲み長では不十分な場合に、これらと協働して作業場２０の全部または一部を囲む機能を有する。拡張フェンス８０，９０は、外部フェンス４０，５０と内部フェンス６０，７０と同様にアルミや鉄等の素材で構成される筐体であって、内部フェンス６０，７０に比べてひとまわり小さい形状を有する。また、拡張フェンス８０，９０は、開口部６４，７４から内部フェンス６０，７０の内部空間に出入りする。拡張フェンス８０，９０は、拡張フェンス８０，９０を引き出すために用いるガイドピン８４，９４と、拡張フェンス８０，９０の移動に用いられる車輪８２，９２とを含んで構成される。
【００３０】
ガイドピン８４，９４は、ガイドピン６８，７８と同様の構成と機能を有する。また、ガイドピン８４，９４は、拡張フェンス８０，９０の上面のうち引き出し方向とは反対の端部に設置され、その先端が内部フェンス６０，７０の案内溝６２，７２から突出しているが、外部フェンス４０，５０の案内溝４２，５２から突出しない程度の高さを有する。なお、ガイドピン６８，７８は、床面の垂直方向に伸縮できる付勢手段を有している場合は、外部フェンス４０，５０の案内溝４２，５２から突出していても拡張フェンス８０，９０を引き出すことができる。
【００３１】
車輪８２，９２は、車輪６６，７６と同様の機能と構成を有する。また、車輪８２，９２は、拡張フェンス８０，９０の底面において、引き出し方向の端部に配置される。
【００３２】
ここで、図２を用いて作業用安全柵３０の作用を説明する。また、以下では図１と同様の要素について、図１の符号を用いて説明する。外部フェンス４０，５０は、それぞれ相互に連結具３８で連結されており、外部フェンス４０，５０を折りたたむ際の開き角度を変えて作業場２０を囲むことができる。また、作業場２０によっては、外部フェンス４０，５０のみの囲み長で不十分な場合に、内部フェンス６０，７０に配置されるガイドピン６８，７８を案内溝４２，５２に沿って移動させることにより、内部フェンス６０，７０を引き出すことができる。したがって、外部フェンス４０，５０に加えて、内部フェンスの引き出し量を微調整することにより、作業場２０の囲み長を自在に調整することができる。また、内部フェンス６０，７０を最大限引き出すことによっても囲み長が十分でない場合には、さらに拡張フェンス８０，９０に配置されたガイドピン８４，９４を案内溝４２，５２に沿って移動させることにより、拡張フェンス８０，９０を引き出すことができる。したがって、外部フェンス４０，５０と内部フェンス６０，７０に加えて拡張フェンス８０，９０の引き出し量を微調整することにより、作業場２０の囲み長を自在に変更することができる。
【００３３】
図３は、図２において示された作業用安全柵３０を収納状態にした様子を示す図である。以下では図１から図２と同様の要素について、同一の符号を用いて説明する。図３における作業用安全柵３０は、外部フェンス４０と外部フェンス５０とが連結具３８を介して、それぞれの側面が重なる程度にまで折りたたまれている。さらに、内部フェンス６０，７０と拡張フェンス８０，９０とはそれぞれガイドピン６８，７８，８４，９４を案内することにより、それぞれ外部フェンス４０，５０と内部フェンス６０，７０の内部空間に収納される。したがって、作業用安全柵３０は、このような収納状態にすることにより、省スペースの場所に保管することができる。また、それぞれのフェンスには、車輪等が配置されていることから容易に持ち運ぶことができる。
【００３４】
図４は、図３における外部フェンス５０と内部フェンス７０と拡張フェンス９０の断面図である。以下では図１から図３と同様の要素について、同一の符号を用いて説明する。作業場２０への囲み長が外部フェンス５０で足りない場合に、ガイドピン７８を引き出し方向に沿って移動させることにより、内部フェンス７０が引き出される。この場合には、床面１００上を車輪７６が移動することにより、内部フェンス７０が引き出し方向に移動する。さらに、作業場２０への囲み長が不足する場合には、ガイドピン９４を引き出し方向に沿って移動させることより、拡張フェンス９０は引き出される。この場合には、床面１００上を車輪９２が移動することにより、拡張フェンス９０が引き出し方向に移動する。
【００３５】
図５は、図４の上面図であり、図６は、図４の底面図である。以下では図１から図４と同様の要素について、同一の符号を用いて説明する。外部フェンス５０は、その底面に案内部５１を有する。案内部５１は、内部フェンス７０と拡張フェンス９０とをそれぞれ外部フェンス５０と内部フェンス７０に収納する場合に車輪７６，９２を案内する機能を有する。したがって、内部フェンス７０と拡張フェンス９０は、外部フェンス５０からはみ出すことなく収納することができる。なお、図示しないが外部フェンス４０にも同様の案内部が配置されている。
【００３６】
図７は、作業用安全柵３１において、車輪７６を外部フェンス５０の内部空間に収納し、車輪９２を内部フェンス７０の内部空間に収納する状態を示す図である。また、図８は、図７において示した作業用安全柵３１の左側面図である。以下では図１から図６と同様の要素について、同一の符号を用いて説明する。ここで、作業用安全柵３１は、作業用安全柵３０とほぼ同様の構成であるため相違点について説明する。内部フェンス７０の底面には、さらに付勢手段７３と、車軸を案内する案内部７１とを含んで構成される。拡張フェンス９０は、さらに車軸を案内する案内部９１と車軸に取付けられる付勢手段９３と、を含んで構成される。
【００３７】
案内部７１，９１は、それぞれ車輪７６，９２の車軸を案内する。また、案内部７１，９１は、車軸に配置された付勢手段７３，９３よりもひとまわり大きい形状を有する。
【００３８】
付勢手段７３は、一端が案内部７１に取り付けられて、他端が車軸に取付けられ、車輪７６を外部フェンス５０の内側面に押し付ける方向に付勢力を加える。付勢手段９３も、付勢手段７３と同様に、車輪９２を内部フェンス７０の内側面に押し付ける方向に付勢力を加える。
【００３９】
ここで、図８を用いて車輪７６と車輪９２の出し入れについて説明する。また、以下では図１から図７と同様の要素について、同一の符号を用いて説明する。図８において示される車輪７６と車輪９２は、それぞれ外部フェンス５０と内部フェンス７０の内部空間に収納されている。ここで、内部フェンス７０が、外部フェンス５０から引き出され、それに従って車輪７６も外部フェンス５０から引き出される場合に、車輪７６等の自重と付勢手段７３の付勢力によって案内部７１から引き出され、床面１００を移動することができる。また、車輪９２についても同様に拡張フェンス９０が、内部フェンス７０から引き出される場合に、車輪９２等の自重と付勢手段９３の付勢力によって案内部９１から引き出され、床面１００を移動することができる。
一方、車輪７６と車輪９２を外部フェンス５０と内部フェンス７０の内部空間に収納する場合には、付勢手段７３，９３の付勢力に反する力を加えることによりそれぞれ収納することができる。
【図面の簡単な説明】
【００４０】
【図１】本発明に係る実施の形態における作業用安全柵をエスカレータの乗降口付近に配置した図である。
【図２】本発明に係る実施の形態における作業用安全柵を乗降口側から見た斜視図である。
【図３】本発明に係る実施の形態における作業用安全柵を収納状態にした様子を示す図である。
【図４】図３における外部フェンス５０と内部フェンス７０と拡張フェンス９０の断面図である。
【図５】図４における上面図である。
【図６】図４における底面図である。
【図７】本発明に係る実施の形態における作業用安全柵のさらに他の収納状態にした様子を示す図である。
【図８】図７における左側面図である。
【符号の説明】
【００４１】
４  移動手摺、６  踏板、８  欄干部、１０  エスカレータ、２０  作業場、３０，３１  作業用安全柵、３８  連結具、４０，５０  外部フェンス、４２，５２，６２，７２  案内溝、４４，５４  開口部、４６，４８，５６，５８，６６，７６，８２，９２  車輪、５１，７１，９１  案内部、６０，７０  内部フェンス、６４，７４  開口部、６８，７８，８４，９４  ガイドピン、７３，９３  付勢手段、８０，９０  拡張フェンス、１００  床面。
【図１】
2009023826.tif 000003
【図２】
2009023826.tif 000004
【図３】
2009023826.tif 000005
【図４】
2009023826.tif 000006
【図５】
2009023826.tif 000007
【図６】
2009023826.tif 000008
【図７】
2009023826.tif 000009
【図８】
2009023826.tif 000010